(57)【要約】【課題】イーサネットＰＨＹなしにも近距離無線通信（Ｗｉ−Ｆｉ）基底帯域信号と無線広域通信（ＷｉＭＡＸ）基底帯域信号との間に信号送受信が可能な無線インターネット接続中継器を提供する。【解決手段】無線インターネット接続中継器は、無線広域通信モジュールと近距離無線通信モジュールとを含む中継器であって、無線広域通信モジュール及び近距離無線通信モジュールのそれぞれでＭＡＣ階層のプロトコルによって送受信データを処理するためのＭＡＣ処理部と、無線広域通信モジュール及び近距離無線通信モジュールのそれぞれでＭＡＣ処理部の間に送受信されるデータをインターフェースするためのＭＩＩ（Ｍｅｄｉａ  Ｉｎｄｅｐｅｎｄｅｎｔ  Ｉｎｔｅｒｆａｃｅ）インターフェース部と、ＭＩＩインターフェース部のそれそれにクロックを供給するためのクロック供給器と、を含むことを特徴とする。【選択図】図２
2010193424.tif 000002
【特許請求の範囲】
【請求項１】
無線広域通信モジュールと近距離無線通信モジュールとを含む無線インターネット接続中継器において、
前記無線広域通信モジュール及び近距離無線通信モジュールのそれぞれでＭＡＣ階層のプロトコルによって送受信データを処理するためのＭＡＣ処理部と、
前記無線広域通信モジュール及び近距離無線通信モジュールのそれぞれで前記ＭＡＣ処理部の間に送受信されるデータをインターフェースするためのＭＩＩ（Ｍｅｄｉａ  Ｉｎｄｅｐｅｎｄｅｎｔ  Ｉｎｔｅｒｆａｃｅ）インターフェース部と、
前記ＭＩＩインターフェース部のそれそれにクロックを供給するためのクロック供給器と、
を含むことを特徴とする無線インターネット接続中継器。
【請求項２】
前記通信モジュールのそれぞれは、
少なくともＩＥＥＥ８０２．１１系列とＩＥＥＥ８０２．１６系列とのうち何れか一つの通信規格による通信モジュールであることを特徴とする請求項１に記載の無線インターネット接続中継器。
【請求項３】
前記ＭＡＣ処理部は相互間に、
コントロールプロトコルメッセージの交換を通じて相手側ＭＡＣ処理部の特定情報を設定するか、特定情報を獲得することを特徴とする請求項１に記載の無線インターネット接続中継器。
【請求項４】
無線広域通信及び近距離無線通信のための共用アンテナと、
前記共用アンテナを通じて受信可能な信号を前記無線広域通信モジュールと前記近距離無線通信モジュールとに分離するためのデュプレクサと、
をさらに含むことを特徴とする請求項１に記載の無線インターネット接続中継器。
【請求項５】
前記通信モジュールのそれぞれは、
少なくともＩＥＥＥ８０２．１１系列とＩＥＥＥ８０２．１６系列とのうち何れか一つの通信規格による通信モジュールであることを特徴とする請求項４に記載の無線インターネット接続中継器。
【請求項６】
前記ＭＡＣ処理部は相互間に、
コントロールプロトコルメッセージの交換を通じて相手側ＭＡＣ処理部の特定情報を設定するか、特定情報を獲得することを特徴とする請求項４に記載の無線インターネット接続中継器。
【請求項７】
前記デュプレクサと前記無線広域通信モジュールのＲＦ送／受信部との間に接続されてＲＦ信号の送受信経路を切換えるための第１ＲＦスイッチと、
前記第１ＲＦスイッチとＲＦ送／受信部との間に接続されて近距離無線通信用信号の干渉を除去するための信号干渉除去用フィルターと、
をさらに含むことを特徴とする請求項４に記載の無線インターネット接続中継器。
【請求項８】
前記デュプレクサと前記近距離無線通信モジュールのＲＦ送受信部との間に接続されてＲＦ信号の送受信経路を切換えるための第２ＲＦスイッチと、
前記第２ＲＦスイッチと前記近距離無線通信モジュールのＲＦ送受信部との間に接続されて無線広域通信用信号の干渉を除去するための信号干渉除去用フィルターと、
をさらに含むことを特徴とする請求項７に記載の無線インターネット接続中継器。
【請求項９】
前記通信モジュールのそれぞれは、
少なくともＩＥＥＥ８０２．１１系列とＩＥＥＥ８０２．１６系列とのうち何れか一つの通信規格による通信モジュールであることを特徴とする請求項８に記載の無線インターネット接続中継器。
【請求項１０】
前記ＭＡＣ処理部は相互間に、
コントロールプロトコルメッセージの交換を通じて相手側ＭＡＣ処理部の特定情報を設定するか、特定情報を獲得することを特徴とする請求項８に記載の無線インターネット接続中継器。
【請求項１１】
前記デュプレクサと前記近距離無線通信モジュールのＲＦ送受信部との間に接続されてＲＦ信号の送受信経路を切換えるための第２ＲＦスイッチと、
前記第２ＲＦスイッチと前記近距離無線通信モジュールのＲＦ送受信部との間に接続されて無線広域通信用信号の干渉を除去するための信号干渉除去用フィルターと、
をさらに含むことを特徴とする請求項４に記載の無線インターネット接続中継器。
【請求項１２】
前記通信モジュールのそれぞれは、
少なくともＩＥＥＥ８０２．１１系列とＩＥＥＥ８０２．１６系列とのうち何れか一つの通信規格による通信モジュールであることを特徴とする請求項１１に記載の無線インターネット接続中継器。
【請求項１３】
前記ＭＡＣ処理部は相互間に、
コントロールプロトコルメッセージの交換を通じて相手側ＭＡＣ処理部の特定情報を設定するか、特定情報を獲得することを特徴とする請求項１１に記載の無線インターネット接続中継器。
【請求項１４】
前記コントロールプロトコルメッセージは、少なくとも、
メッセージタイプを定義しているＰＤＵ（Ｐａｃｋｅｔ  Ｄａｔａ  Ｕｎｉｔ）タイプ区間と、
メッセージの伝送順番を定義しているシーケンスナンバー区間と、
エラー状態情報区間と、
ＰＤＵ長さ情報区間及びＰＤＵペイロード区間と、
チェックサム区間と、
のうち３つ以上の区間を含むメッセージであることを特徴とする請求項３、６、１０、１３のうち何れか一項に記載の無線インターネット接続中継器。
【請求項１５】
前記ＰＤＵペイロード区間には、
特定情報の設定要否を区分するためのコンフィギュレーションＩＤと、そのコンフィギュレーションの長さ及びコンフィギュレーション値とが含まれることを特徴とする請求項１４に記載の無線インターネット接続中継器。
【発明の詳細な説明】
【技術分野】
【０００１】
本発明は、無線インターネット接続中継器に係り、特に、イーサネット(登録商標）ＰＨＹなしにも近距離無線通信（Ｗｉ−Ｆｉ）基底帯域信号と無線広域通信（ＷｉＭＡＸ）基底帯域信号との間に信号送受信が可能な無線インターネット接続中継器に関する。
【背景技術】
【０００２】
通信技術及び携帯端末関連技術が発展するにつれて、多様な方式の通信方式が紹介されている。そのうち、近距離無線接続（ＷＬＡＮ）方式と呼ばれるワイファイ（ＷｉＦｉ）は、電波伝送方式を利用した近距離通信方式であって、無線でデータ送受信が可能で相対的に低コストの特徴を有しているが、高速及び距離制約を受けるという短所を抱いている。
【０００３】
このような短所を克服するために開発された通信方式の一つが、まさにワイブロ（Ｗｉｂｒｏ）あるいはワイマックス（ＷｉＭＡＸ）と呼ばれる無線広域インターネット接続サービスである。ワイマックスサービスは、ＩＥＥＥ８０２．１６ｅ技術を基盤とするサービスであり、２．３ＧＨｚ帯あるいは２．５ＧＨｚ、３．５ＧＨｚ、５ＧＨｚ帯の周波数帯域を用いて中低速（１２０Ｋｍまで支援）移動中にも、高速インターネット接続を可能にする。参考までに、ワイマックスのような無線広域インターネット接続モジュールを搭載した端末機は、基地局（Ｂａｓｅ  Ｓｔａｔｉｏｎ）まで無線で通信し、その後は有線または無線でインターネット網に連結される。
【０００４】
近距離無線ＬＡＮ方式に比べて、相対的に高速でも移動性が楽で、そして、距離に制約を受けないという点でワイマックスサービスの有用性が高いと言うが、近距離無線ＬＡＮのみ支援する端末機を通じては、ワイブロあるいはワイマックスサービスを正常に利用することができない。これにより、近距離無線ＬＡＮ端末機を通じても、ワイマックスサービス網に接続可能な無線インターネット接続装置あるいは中継器が開発されるに至った。このような無線インターネット接続中継器は、近距離無線通信モジュール（ＷｉＦｉ）と無線広域通信モジュール（ＷｉＭＡＸ）とを含み、これら近距離無線通信モジュール（ＷｉＦｉ）と無線広域通信モジュール（ＷｉＭＡＸ）は、図１に示されたように、二つのモジュール間ＭＩＩ（Ｍｅｄｉａ  Ｉｎｄｅｐｅｎｄｅｎｔ  Ｉｎｔｅｒｆａｃｅ）を通じて連結される。
【０００５】
すなわち、近距離無線通信モジュール（ＷｉＦｉ）と無線広域通信モジュール（ＷｉＭＡＸ）とを含む一般無線インターネット接続中継器では、ＭＩＩインターフェースの使用時に、図１に示されたように、ＰＨＹ１１０、１２０が両側のＭＩＩインターフェース（Ｉ／Ｆ）モジュール１００、１３０に配される構造を有する。これは、直ちに同じ部品の重複性とそれによる製品価格の上昇とを誘発し、さらに、同じ部品の重複は、直ちに携帯用機器の特性である製品小型化を具現するに当たって、一つの阻害要因として作用する。したがって、このような短所を克服するための新たな方案が要求されるところである。
【０００６】
さらに、近距離無線通信モジュール（ＷｉＦｉ）と無線広域通信モジュール（ＷｉＭＡＸ）とを含む一般無線インターネット接続中継器は、無線広域通信モジュール（ＷｉＭＡＸ）用アンテナ２本を使い、近距離無線通信モジュール（ＷｉＦｉ）用アンテナ１本または２本を使う構造である。このように、３〜４本のアンテナを採用している一般無線インターネット接続中継器でアンテナ数を減らしてでも、正常な中継器機能を具現することができれば、これも製品小型化及び低価製品の具現趨勢に貢献する一つの方法と言える。
【発明の概要】
【発明が解決しようとする課題】
【０００７】
本発明の目的は、近距離無線通信モジュールと無線広域通信モジュールとの間に信号送受信のためのイーサネットＰＨＹを除去しても、正常に信号送受信が可能な無線インターネット接続中継器を提供することにあり、
さらに、近距離無線通信モジュールと無線広域通信モジュールとの間に信号送受信のためのイーサネットＰＨＹを除去して、低価でありながらも軽薄短小な無線インターネット接続中継器を提供することにある。
【０００８】
また、本発明のまた他の目的は、近距離無線通信及び無線広域通信に必要なアンテナ数を最小化することができる無線インターネット接続中継器を提供することにある。
【課題を解決するための手段】
【０００９】
前記目的を果たすための本発明の実施形態による無線インターネット接続中継器は、無線広域通信モジュールと近距離無線通信モジュールとを含む無線インターネット接続中継器であって、前記無線広域通信モジュール及び近距離無線通信モジュールのそれぞれでＭＡＣ階層のプロトコルによって送受信データを処理するためのＭＡＣ処理部と、前記無線広域通信モジュール及び近距離無線通信モジュールのそれぞれで前記ＭＡＣ処理部の間に送受信されるデータをインターフェースするためのＭＩＩ（Ｍｅｄｉａ  Ｉｎｄｅｐｅｎｄｅｎｔ  Ｉｎｔｅｒｆａｃｅ）インターフェース部と、前記ＭＩＩインターフェース部のそれそれにクロックを供給するためのクロック供給器と、を含むことを特徴とする。
【００１０】
また他の実施形態による無線インターネット接続中継器は、無線広域通信及び近距離無線通信のための共用アンテナと、前記共用アンテナを通じて受信可能な信号を前記無線広域通信モジュールと前記近距離無線通信モジュールとに分離するためのデュプレクサと、をさらに含むことを特徴とする。
【００１１】
さらに、本発明のまた他の実施形態による無線インターネット接続中継器は、前記デュプレクサと前記無線広域通信モジュールのＲＦ送受信部との間に接続されてＲＦ信号の送受信経路を切換えるための第１ＲＦスイッチと、前記第１ＲＦスイッチとＲＦ送受信部との間に接続されて近距離無線通信用信号の干渉を除去するための信号干渉除去用フィルターと、をさらに含むことを特徴とする。
【００１２】
さらに、本発明のさらに他の実施形態による無線インターネット接続中継器は、前記デュプレクサと前記近距離無線通信モジュールのＲＦ送受信部との間に接続されてＲＦ信号の送受信経路を切換えるための第２ＲＦスイッチと、前記第２ＲＦスイッチと前記近距離無線通信モジュールのＲＦ送受信部との間に接続されて無線広域通信用信号の干渉を除去するための信号干渉除去用フィルターと、をさらに含むことを特徴とする。
【００１３】
前記実施形態の無線インターネット接続中継器でＭＡＣ処理部は相互間に、コントロールプロトコルメッセージの交換を通じて相手側ＭＡＣ処理部の特定情報を設定するか、特定情報を獲得することを特徴とし、前記コントロールプロトコルメッセージは、少なくともメッセージタイプを定義しているＰＤＵ（Ｐａｃｋｅｔ  Ｄａｔａ  Ｕｎｉｔ）タイプ区間と、メッセージの伝送順番を定義しているシーケンスナンバー区間と、エラー状態情報区間と、ＰＤＵ長さ情報区間及びＰＤＵペイロード区間と、チェックサム区間と、のうち３つ以上の区間を含むことを特徴とする。
【発明の効果】
【００１４】
本発明の実施形態による無線インターネット接続中継器は、近距離無線通信（Ｗｉ−Ｆｉ）モジュールと無線広域通信（ＷｉＭＡＸ）モジュールとの間に信号送受信のためのイーサネットＰＨＹを除去しても、ＭＡＣ処理部相互間にＭＩＩを通じて正常な信号送受信が可能であるために、イーサネットＰＨＹの除去によって軽薄短小な製品を具現することができ、かつバッテリーを搭載して移動型及び低価の製品を供給することができる実益がある。
【００１５】
さらに、本発明の実施形態による無線インターネット接続中継器は、近距離無線通信及び無線広域通信に必要なアンテナを共用し、このために必要な電気素子を追加することによって、中継器で使われるアンテナ数を最小化することができる実益がある。これは、直ちに製品の小型化及び低価製品の具現に一助する効果を提供する。
【図面の簡単な説明】
【００１６】
【図１】一般的な無線インターネット接続中継器の近距離無線通信モジュール（ＷｉＦｉ）と無線広域通信モジュール（ＷｉＭＡＸ）とがＭＩＩ（Ｍｅｄｉａ  Ｉｎｄｅｐｅｎｄｅｎｔ  Ｉｎｔｅｒｆａｃｅ）を通じて連結された状態を示すための図である。
【図２】本発明の実施形態による無線インターネット接続中継器のブロック構成例示図である。
【図３】図２のうち近距離無線通信モジュールと無線広域通信モジュールのＭＡＣ処理部とがＭＩＩを通じて連結された状態を示すための図である。
【図４】本発明の実施形態によるコントロールプロトコルメッセージのフォーマット構成例示図である。
【図５】図４のうちＰＤＵタイプを説明するための図である。
【図６】図４のうちＰＤＵペイロード区間に含まれる情報を説明するための図である。
【発明を実施するための形態】
【００１７】
以下、本発明の望ましい実施形態を添付図面を参照して、詳しく説明する。本発明を説明するに当たって、関連した公知機能あるいは構成についての具体的な説明が、本発明の要旨を不明にする恐れがあると判断される場合には、それについでの詳細な説明は省略する。
【００１８】
まず、本発明の実施形態による（携帯用）無線インターネット接続中継器は、ＩＥＥＥ８０２．１１ａ、ＩＥＥＥ８０２．１１ｂ、ＩＥＥＥ８０２．１１ｇのうち何れか一つの通信規格による近距離無線通信（Ｗｉ−Ｆｉ）モジュールを搭載して携帯用端末機と接続可能であり、無線ＬＡＮプロトコルとは相異なる、例えば、ＩＥＥＥ８０２．１６ｅ技術を基盤とする無線広域通信（ＷｉＭＡＸ）モジュールを搭載して無線広域網に接続可能である。すなわち、本発明の実施形態による無線インターネット接続中継器は、無線ＬＡＮ接続可能な端末を無線広域網を通じて無線インターネット接続できるように支援する中継器の役割を担当する。このような無線インターネット接続中継器の構成を、図２及び図３を参照しつつ敷衍説明する。
【００１９】
図２は、本発明の実施形態による無線インターネット接続中継器のブロック構成図を例示したものであり、図３は、図２のうち近距離無線通信モジュールと無線広域通信モジュールのＭＡＣ処理部とがＭＩＩを通じて連結された状態を示したものである。本発明の実施形態による無線インターネット接続中継器は、図２に示されたように、大きく無線広域通信モジュールと近距離無線通信モジュール、無線広域通信及び近距離無線通信のための共用アンテナＡＮＴ１及び充電可能なバッテリーを備えてシステム電源を供給する電源供給部２４８を含む。
【００２０】
図２を参照すれば、まず共用アンテナＡＮＴ１は、ＴＤＤ（Ｔｉｍｅ  Ｄｉｖｉｓｉｏｎ  Ｄｕｐｌｅｘ）方式の無線広域通信及び近距離無線通信のためのアンテナであって、２．３ＧＨｚ帯域の無線広域通信信号と２．４ＧＨｚ帯域の近距離無線通信信号との送受信に利用される。デュプレクサ２００は、前記共用アンテナＡＮＴ１を通じて受信可能な信号を無線広域通信（ＷｉＭＡＸ）モジュールと近距離無線通信（Ｗｉ−Ｆｉ）モジュールとに分離して出力する役割を担当する。第１ＲＦスイッチ２０２は、デュプレクサ２００と後述する無線広域通信（ＷｉＭＡＸ）モジュールのＲＦ送／受信部２０６、２１０との間に接続されてＲＦ信号の送受信経路を切換える。このようなＲＦスイッチ２０２は、ＭＡＣ処理部２１８によって定められた時間周期ごとにスイチング動作する。
【００２１】
一方、前記第１ＲＦスイッチ２０２とＲＦ送／受信部２０６、２１０との間に接続されたＷｉ−Ｆｉ干渉除去フィルター、すなわち、信号干渉除去用フィルター２０４、２０８は、近距離無線通信（Ｗｉ−Ｆｉ）用信号の干渉を除去するのに利用される。前記干渉除去フィルター２０４、２０８の後段に位置する無線広域通信（ＷｉＭＡＸ）モジュール用ＲＦ送／受信部２０６、２１０は、無線広域通信のためのＲＦ信号をそれぞれ送受信処理する。このようなＲＦ送／受信部２０６、２１０は、送／受信信号処理のためのフィルター、ＬＮＡ、ＰＡ及びそれぞれの無線通信規格によって送／受信信号を変調及び復調処理するためのモデムなどを含む。
【００２２】
無線広域通信（ＷｉＭＡＸ）モジュールのＰＨＹ処理部２１６は、無線広域通信（ＷｉＭＡＸ）規格で定義したＰＨＹ階層のプロトコルによって送受信データを処理して出力する。ＷｉＭＡＸ用ＭＡＣ処理部２１８もＭＡＣ階層のプロトコルによって送受信データを処理する。但し、本発明の実施形態によるＷｉＭＡＸ用ＭＡＣ処理部２１８は、ＭＩＩインターフェース部２２０を通じてＷｉ−Ｆｉ用ＭＡＣ処理部２４０とデータを送受信するが、新たに定義されたコントロールプロトコルメッセージの交換を通じて相手側ＭＡＣ処理部２４０の特定情報（ＡＰモード、ＷＡＮ  ＩＰなど）を設定するか、特定情報（Ｃｏｎｆｉｇｕｒａｔｉｏｎ  ＩＤなど）を獲得する。
【００２３】
ＭＩＩインターフェース部２２０は、無線広域通信（ＷｉＭＡＸ）モジュール及び近距離無線通信モジュール（Ｗｉ−Ｆｉ）のそれぞれでＭＡＣ処理部２１８、２４２の間に送受信されるデータをインターフェースする。このようなＭＩＩインターフェース部２２０の連結状態が図３に示されている。図３から分かるように、本発明では、イーサネットＰＨＹを通さずに直接ＷｉＭＡＸとＷｉ−ＦｉのＭＡＣ処理部とがＷｉＭＡＸ用ＭＩＩ２２０とＷｉ−Ｆｉ用ＭＩＩ２４２とを通じて信号を送受信する。図３に示されたように、ＷｉＭＡＸ用ＭＩＩ２２０とＷｉ−Ｆｉ用ＭＩＩ２４２との間のコントロールＣＴＬ及びデータＤの送受信端子ＴＸ、ＲＸは、相互交差連結されており、クロックＣＬＫは、外部クロック供給器２２６を通じて提供される。
【００２４】
ＷｉＭＡＸ用プロセッサ２２２は、無線広域通信モジュールを用いて通信を行うに当たって、必要な諸般事項を管理制御する。例えば、無線広域通信のために必要な認証／課金などの情報を総合管理する。前記プロセッサ２２２によって制御管理されるメモリ２２４は、バッファメモリとプログラム保存メモリとに区画可能であり、無線広域通信のために必要な各種の制御プログラムデータと認証／課金データとが指定された領域に保存される。
【００２５】
一方、説明していないアンテナＡＮＴ２とＷｉ−Ｆｉ干渉除去フィルター２１２、ＷｉＭＡＸ  ＲＦ受信部２１４は、無線広域通信規格で標準として定義しているＭＩＭＯ具現のために必要な構成を示したものである。これら構成は、前述した構成と同一であるので、その詳細な説明は省略する。
【００２６】
以上、無線広域通信モジュールを構成する回路構成について説明し、以下、近距離無線通信（Ｗｉ−Ｆｉ）モジュールについて敷衍説明する。
【００２７】
近距離無線通信（Ｗｉ−Ｆｉ）モジュールのＲＦスイッチ２２８もデュプレクサ２００と後述する近距離無線通信（Ｗｉ−Ｆｉ）モジュールのＲＦ送／受信部２３６、２３２と間に接続されてＲＦ信号の送受信経路を切換える。このようなＲＦスイッチ２２８は、ＭＡＣ処理部２４０によって定められた時間周期ごとにスイチング動作する。前記ＲＦスイッチ２２８とＲＦ送／受信部２３６、２３２との間に接続されたＷｉＭＡＸ干渉除去フィルター、すなわち、信号干渉除去用フィルター２３０、２３４は、無線広域信号の干渉を除去するのに利用される。このような干渉除去フィルター２３４、２３０の後段に位置するＷｉ−Ｆｉ用ＲＦ送／受信部２３６、２３２は、近距離無線通信のためのＲＦ信号をそれぞれ送受信処理する。
【００２８】
近距離無線通信（Ｗｉ−Ｆｉ）モジュールのＰＨＹ処理部２３８は、近距離無線通信（Ｗｉ−Ｆｉ）規格で定義したＰＨＹ階層のプロトコルによって送受信データを処理して出力し、Ｗｉ−Ｆｉ用ＭＡＣ処理部２４０もＭＡＣ階層のプロトコルによって送受信データを処理する。前述したように、本発明の実施形態によるＷｉ−Ｆｉ用ＭＡＣ処理部２４０は、ＭＩＩインターフェース部２４２を通じてＷｉＭＡＸ用ＭＡＣ処理部２１８とコントロールプロトコルメッセージを通じてデータを送受信し、ＭＩＩインターフェース部２４２は、無線広域通信（ＷｉＭＡＸ）モジュールのＭＡＣ処理部２１８側に位置するＭＩＩインターフェース部２２０と送受信されるデータをインターフェースする。Ｗｉ−Ｆｉ用プロセッサ２４４は、近距離無線通信モジュールを用いて通信を行うに当たって、必要な諸般事項を管理制御し、プロセッサ２４４によって制御管理されるメモリ２４６もバッファメモリとプログラム保存メモリとに区画されて近距離無線通信のために必要な各種の制御プログラムデータが指定された領域に保存される。
【００２９】
前述したような構成を有する無線インターネット接続中継器は、近距離無線通信（Ｗｉ−Ｆｉ）モジュールのＲＦスイッチ２２８が無線広域通信（ＷｉＭＡＸ）モジュールのデュプレクサ２００と連結されているために、共用アンテナＡＮＴ１を通じて近距離無線通信用信号と無線広域通信信号とを送受信することができる。したがって、それぞれのアンテナを通じて近距離無線通信用信号と無線広域通信信号とを送受信する一般的な無線インターネット接続中継器に比べて、本発明の実施形態による無線インターネット接続中継器は、アンテナ数が節減された効果が得られる。
【００３０】
以下、本発明のまた他の特徴であるＭＩＩインターフェース部２２０、２４２を通じてコントロールプロトコルメッセージを送受信する過程について敷衍説明する。
【００３１】
図４は、本発明の実施形態によるコントロールプロトコルメッセージのフォーマット構成図を例示したものであり、図５は、図４のうちＰＤＵタイプを説明するための図面を、図６は、図４のうちＰＤＵペイロード区間に含まれる情報を説明するための図面を示したものである。
【００３２】
まず、本発明の実施形態による無線インターネット接続中継器は、ＭＩＩインターフェースを通じてＷｉＭＡＸ用ＭＡＣ処理部２１８とＷｉ−Ｆｉ用ＭＡＣ処理部２４０とがデータのみ送受信することができる。これにより、本発明の実施形態では、コントロールプロトコルメッセージを新たに定義し、ＭＡＣ処理部２１８、２４０が新たに定義されたコントロールプロトコルメッセージの交換を通じて相手側ＭＡＣ処理部の特定情報を設定（送信パワー、ＩＰ変更、保安設定、ネットワーク名など）するか、特定情報を獲得するように考案した。
【００３３】
新たに定義されたコントロールプロトコルメッセージは、図４に示されたように、メッセージタイプを定義している１バイトサイズのＰＤＵ（Ｐａｃｋｅｔ  Ｄａｔａ  Ｕｎｉｔ）タイプ区間（ｓｕｂｆｉｅｌｄ）と、バージョン管理のための１バイトサイズのバージョン（ｖｅｒｓｉｏｎ）区間と、メッセージの伝送順番（一つずつ増加）を定義している１バイトサイズのシーケンスナンバー（Ｓｅｑｕｅｎｃｅ  Ｎｕｍｂｅｒ）区間と、間違った値や誤った状態を表示するための１バイトサイズのエラー状態（Ｅｒｒｏｒ  Ｓｔａｔｕｓ）区間と、メッセージの長さを表わすための２バイトサイズのＰＤＵ長さ（ＰＤＵ  Ｌｅｎｇｔｈ）情報区間と、読み取り／書き込みに使われるコンフィギュレーション（ｃｏｎｆｉｇｕｒａｔｉｏｎ）内容が挿入される可変サイズのＰＤＵペイロード区間及びチェックサム（Ｃｈｅｃｋｓｕｍ）区間とを含む。このようなコントロールプロトコルメッセージ（コントロールＰＤＵメッセージとも言う）は、最大１４６０バイトのサイズを有しうる。
【００３４】
参考までに、コントロールプロトコルメッセージのうちＰＤＵタイプは、図５に示されたように、４タイプに定義されることができ、ＰＤＵペイロード区間は、また図６に示したような形式を有する。図５でマネージャー（ｍａｎａｇｅｒ）は、無線広域通信（ＷｉＭＡＸ）モジュールを意味し、エージェント（ａｇｅｎｔ）は、Ｗｉ−ＦＩアクセスポイント（ＡＰ）を意味する。そして、図６でコンフィギュレーションＩＤは、ＡＰの特定情報（ＷＡＮ  ＩＰ、ＡＰモードなど）設定要否を区分するために利用される情報であり、コンフィギュレーション長は、コンフィギュレーション値の長さを表わす情報である。コンフィギュレーション値は、コンフィギュレーションＩＤによって相異なる情報構造（ｉｎｆｏｒｍａｔｉｏｎ  ｓｔｒｕｃｔｕｒｅ）全体を含む。したがって、コンフィギュレーションＩＤによって相異なる長さを有しうるが、同じコンフィギュレーションＩＤに対しては常に同じ長さを有する。
【００３５】
参考までに、コントロールプロトコルメッセージのタイプがＧｅｔ−Ｒｅｑｕｅｓｔであれば、ペイロード区間には要請するコンフィギュレーションＩＤとＩＤに該当する情報構造（Ｉｎｆｏｒｍａｔｉｏｎ  Ｓｔｒｕｃｔｕｒｅ）の長さが含まれ、コンフィギュレーション値にはすべて０ｘ００の値をもって伝送される。もし、メッセージタイプがＳｅｔ−Ｒｅｑｕｅｓｔであれば、ペイロード区間には要請するコンフィギュレーションＩＤと情報構造の長さが含まれ、ＡＰで変えなければならない設定に対するコンフィギュレーション値をもって伝送され、メッセージタイプがＧｅｔ−Ｒｅｓｐｏｎｓｅの場合であれば、マネージャーが読み取り要請したコンフィギュレーションＩＤを含めてコンフィギュレーション長には０ｘ００００を含めて伝送するが、コンフィギュレーション値は含まずに伝送する。最後に、メッセージタイプがＳｅｔ−Ｒｅｓｐｏｎｓｅであれば、マネージャーが書き込み要請したコンフィギュレーションＩＤとＩＤに該当する情報構造の長さを含み、エージェントで変わったコンフィギュレーション値を含めて伝送する。
【００３６】
前述したように、新たに定義されたコントロールプロトコルメッセージを用いてＭＡＣ処理部相互間２１８、２４０は、相手側ＭＡＣ処理部の特定情報を設定するか、特定情報を獲得することができるために、追加コントロールインターフェースなしにＭＩＩインターフェース部２２０、２４２のみでもＷｉ−ＦＩＭＡＣ処理部２４０とＷｉＭＡＸ  ＭＡＣ処理部２１８との間に正常な信号インタフェーシングが可能な効果が得られる。
【００３７】
前述したように、本発明は、図面に示された実施形態を参考にして説明されたが、これは例示的なものに過ぎず、当業者ならば、これより多様な変形及び均等な他実施形態が可能であるという点を理解できるであろう。例えば、今後Ｗｉ−Ｆｉ  ＭＩＭＯ技術である８０２．１１ｎ技術が追加されてもデュプレクサをもう一つ追加して、本発明の実施形態のようにアンテナ２本のみで無線インターネット接続中継器を具現することができる。したがって、本発明の真の技術的保護範囲は、特許請求の範囲によって決まるべきである。
【産業上の利用可能性】
【００３８】
本発明は、無線インターネット接続中継器関連の技術分野に適用可能である。
【図１】
2010193424.tif 000003
【図２】
2010193424.tif 000004
【図３】
2010193424.tif 000005
【図４】
2010193424.tif 000006
【図５】
2010193424.tif 000007
【図６】
2010193424.tif 000008